(57)【特許請求の範囲】
【請求項１】
ケーシング内に収容され、該ケーシング内に導かれた冷媒を圧縮する圧縮部を駆動する電動モータと、
前記電動モータに電力を供給する外部電力線が前記ケーシングの外部から導かれ、該外部電力線と該電動モータから導かれた内部電力線とを該ケーシングの内部で電気的に接続する接続部を収容する接続部収容容器と、
を備えた電動圧縮機において、
前記外部電力線は、前記接続部収容容器に接続される端子ピンを有しており、
前記端子ピンは、第二ゴムリングによって液密に覆われていることを特徴とする電動圧縮機。
【請求項２】
前記第二ゴムリングの両端または一端には、前記ケーシング側および／または前記接続部収容容器側に対して嵌合する被嵌合凹部または被嵌合凸部が設けられ、
前記ケーシング側および／または前記接続部収容容器側には、前記第二ゴムリングの前記被嵌合凹部または前記被嵌合凸部に対して嵌合する嵌合凸部または嵌合凹部が設けられていることを特徴とする請求項１に記載の電動圧縮機。
【請求項３】
前記第二ゴムリングの前記被嵌合凹部および／または前記被嵌合凸部の軸線方向における自然長が、対応する前記ケーシング側および／または前記接続部収容容器側に設けられた前記嵌合凸部および／または前記嵌合凹部の軸線方向における長さよりも長いことを特徴とする請求項２に記載の電動圧縮機。
【請求項４】
前記第二ゴムリングの一部分が、他の部分よりも細くされていることを特徴とする請求項１から請求項３のいずれかに記載の電動圧縮機。
【請求項５】
ケーシング内に収容され、該ケーシング内に導かれた冷媒を圧縮する圧縮部を駆動する電動モータと、
前記電動モータに電力を供給する外部電力線が前記ケーシングの外部から導かれ、該外部電力線と該電動モータから導かれた内部電力線とを該ケーシングの内部で電気的に接続する接続部を収容する接続部収容容器と、
を備えた電動圧縮機において、
前記接続部収容容器には、前記内部電力線が挿通される挿通穴が設けられ、
前記接続部収容容器は、該接続部収容容器を分割するとともに前記挿通穴を分割する分割線にて分割可能とされており、
前記接続部収容容器内には、前記挿通穴を液密状態に閉塞する第一ゴムリングが配置され、
該第一ゴムリングは、前記挿通穴を形成する分割された壁部間で狭持されていることを特徴とする電動圧縮機。
【請求項６】
前記挿通穴を形成する前記壁部には、係合凸部または係合凹部が形成され、
前記第一ゴムリングには、前記係合凸部に係合する被係合凹部または前記係合凹部に係合する被係合凸部が設けられていることを特徴とする請求項５に記載の電動圧縮機。
【請求項７】
前記外部電力線は、前記接続部収容容器に接続される端子ピンを有しており、
前記端子ピンは、第二ゴムリングによって液密に覆われていることを特徴とする請求項５または請求項６に記載の電動圧縮機。
【請求項８】
前記接続部収容容器が、前記第二ゴムリングと前記モータとにより挟持されていることを特徴とする請求項７に記載の電動圧縮機。
【請求項９】
前記電動モータのコイルが巻かれた端部に前記コイルを押止する蓋を有する樹脂ケースを備え、
分割された前記接続部収容容器の一方と前記蓋とが一体となっていることを特徴とする請求項１から請求項８のいずれかに記載の電動圧縮機。
【請求項１０】
請求項７または請求項８に記載された電動圧縮機の組立方法において、
前記第一ゴムリングに前記内部電力線を挿通する内部電力線挿通工程と、
前記内部電力線が挿通された前記第一ゴムリングを前記壁部間で狭持されるように、分割された前記接続部収容容器を嵌合する接続部収容容器嵌合工程と、
前記第二ゴムリング及びガラス端子板が取り付けられた前記端子ピンを前記接続部収容容器に接続する端子部接続工程と、
を有することを特徴とする電動圧縮機の組立方法。
【発明の詳細な説明】
【技術分野】
【０００１】
本発明は、冷媒ガスを圧縮する圧縮部と圧縮部を駆動する電動機を備える電動圧縮機およびその組立方法に関し、具体的には電動圧縮機に用いられる端子を絶縁する構造に関するものである。
【背景技術】
【０００２】
電動圧縮機は、金属製の容器内に圧縮部と、圧縮部を駆動する電動機とを収容している。圧縮部が動作することによって、容器内部の冷媒ガスが圧縮部で圧縮されて外部へと排出される。金属製の容器は、密閉性を有しており、電動機への電力は、容器の開口部に設けられた端子部を介して、外部の電源供給部から電動機に供給される。
電動圧縮機を冷媒回路に用いた場合、運転停止時に、圧縮機内部の冷媒ガスが冷却して液化し、液冷媒が容器内部に溜まる場合がある。このとき、上記端子部が液冷媒に接触すると、金属製の容器と端子部とが短絡する。そのため、電動圧縮機の運転を開始したときに、端子部に供給した電流が液冷媒を介して容器に漏洩するおそれがある。
特に、冷媒と共に用いる潤滑油として、ＰＯＥ（ポリオールエステル油）ではなく、体積抵抗率が低いＰＡＧ（ポリアルキレングリコール油）などを採用する場合、漏電が生じやすくなるため、端子部の絶縁性を確保する必要がある。
【０００３】
そこで、引用文献１には、電流が流れる部分を樹脂で覆うことにより電流が流れる部分を絶縁する技術が開示されている。
また、引用文献２には、端子接続部と密閉容器との間の絶縁距離を延長する技術が開示されている。
【先行技術文献】
【特許文献】
【０００４】
【特許文献１】特許第４９９１６６４号公報
【特許文献２】特開平６−２３５３８８号公報
【発明の概要】
【発明が解決しようとする課題】
【０００５】
しかしながら、引用文献１に開示されている技術では、絶縁部を樹脂で覆っているため、また、引用文献２に開示されている技術では、端子接続部と密閉容器との間の絶縁距離を延長する絶縁距離延長通路を形成する必要があるため、作業性が悪いという問題がある。
【０００６】
本発明は、このような事情に鑑みてなされたものであって、取付けが容易であり、絶縁性能を向上させることが可能な端子絶縁構造を備えた電動圧縮機およびその組立方法を提供することを目的とする。
【課題を解決するための手段】
【０００７】
上記課題を解決するために、本発明の電動圧縮機およびその組立方法は以下の手段を採用する。
すなわち、本発明に係る電動圧縮機は、ケーシング内に収容され、該ケーシング内に導かれた冷媒を圧縮する圧縮部を駆動する電動モータと、前記電動モータに電力を供給する外部電力線が前記ケーシングの外部から導かれ、該外部電力線と該電動モータから導かれた内部電力線とを該ケーシングの内部で電気的に接続する接続部を収容する接続部収容容器と、を備えた電動圧縮機において、前記接続部収容容器には、前記内部電力線が挿通される挿通穴が設けられ、前記接続部収容容器は、該接続部収容容器を分割するとともに前記挿通穴を分割する分割線にて分割可能とされており、前記接続部収容容器内には、前記挿通穴を液密状態に閉塞する第一ゴムリングが配置され、該第一ゴムリングは、前記挿通穴を形成する分割された壁部間で狭持されていることを特徴とする。
【０００８】
本発明によれば、挿通穴を分割する分割線にて接続部収容容器を分割するとともに、収容容器内が液密状態となるように挿通穴を形成する分割された壁部間で第一ゴムリングを狭持することとした。このように、挿通穴を液密状態に閉塞するように第一ゴムリングを配置することにより、ケーシング内の冷媒が挿通穴から接続部収容容器内に侵入することを防ぐことができる。これにより、接続部収容容器と接続する外部電力線を絶縁することができる。
また、接続部収容容器は、挿通穴を形成する分割された壁部間で狭持された第一ゴムリングにより密閉されているため、接続部収容容器内外の圧力差により第一ゴムリングが欠落しづらい構造とすることができる。
【０００９】
本発明の電動圧縮機は、前記挿通穴を形成する前記壁部には、係合凸部または係合凹部が形成され、前記第一ゴムリングには、前記係合凸部に係合する被係合凹部または前記係合凹部に係合する被係合凸部が設けられていることを特徴とする。
【００１０】
本発明によれば、第一ゴムリングに挿通穴を形成する壁部に形成された凸部又は凹部と対応する凸部または凹部が設けられているため、第一ゴムリングが接続部収容容器から欠落することを防止することができる。
【００１１】
本発明の電動圧縮機は、前記外部電力線は、前記接続収容部に接続される端子ピンを有しており、前記端子ピンは、第二ゴムリングによって液密に覆われていることを特徴とする。
【００１２】
本発明によれば、第二ゴムリングによって端子ピンを液密に覆うことにより、端子ピンがケーシング内の冷媒と接触することを回避でき、端子部の絶縁性を高めることができる。
【００１３】
本発明の電動圧縮機は、前記接続部収容容器が前記第二ゴムリングと前記電動モータとにより挟持されていることを特徴とする。
【００１４】
本発明によれば、接続部収容容器が第二ゴムリングと電動モータにより挟まれているため、電流の流れる経路を封鎖でき、絶縁性を高めることができる。また、嵌め合わされた接続部収容容器が分離することを防ぐことをできる。
【００１５】
本発明の電動圧縮機は、ケーシング内に収容され、該ケーシング内に導かれた冷媒を圧縮する圧縮部を駆動する電動モータと、前記電動モータに電力を供給する外部電力線が前記ケーシングの外部から導かれ、該外部電力線と該電動モータから導かれた内部電力線とを該ケーシングの内部で電気的に接続する接続部を収容する接続部収容容器と、を備えた電動圧縮機において、前記外部電力線は、前記接続収容部に接続される端子ピンを有しており、前記端子ピンは、第二ゴムリングによって液密に覆われていることを特徴とする。
【００１６】
本発明によれば、第二ゴムリングによって端子ピンを液密に覆うことにより、端子ピンがケーシング内の冷媒と接触することを回避でき、端子部の絶縁性を高めることができる。
【００１７】
本発明の電動圧縮機は、前記第二ゴムリングの両端または一端には、前記ケーシング側および／または前記接続部収容容器側に対して嵌合する被嵌合凹部または被嵌合凸部が設けられ、前記ケーシング側および／または前記接続部収容容器側には、前記第二ゴムリングの前記被嵌合凹部または前記被嵌合凸部に対して嵌合する嵌合凸部または嵌合凹部が設けられていることを特徴とする。
【００１８】
また、第二ゴムリングが挟まれているため、過度に挟み込んだ場合には第二ゴムリングの反力が過剰になりすぎる可能性があり、その場合には、接続部容器や、その逆側に位置する例えばガラス端子の破損を招くおそれがある。ただしこの第二ゴムリングを挟み込む部分の隙間は種々の部品の寸法から決まるため、寸法公差の積み上げをした場合には隙間寸法の公差が大きくなる。
このような不具合を回避するため、第二ゴムリングの剛性を積極的に落として変位に対しての荷重を下げることが考えられる。例えば、単純に第二ゴムリングの全体を細くしても剛性を落とすことはできるが、そのようにすると、第二ゴムリングと接続部収納容器や第二ゴムリングとガラス端子間の接触面積が狭くなり、必要とされる絶縁性能を満足できなくなるおそれがある。
そのため、第二ゴムリングに被嵌合凹部および／または被嵌合凸部を設け、この嵌合部分によって横断面積を減少させることにより、絶縁性能を落とすことなく、また、過大な荷重による接続部収納容器やガラス端子の破損を防ぐことができる。
また、第二ゴムリングとケーシング側および／または接続部収容容器側との間で凹凸による嵌合を行うこととしたので、凹凸部分でシールされるため、かならずしも第二ゴムリングを積極的に挟み込んで大きな荷重を与える必要はない。
【００１９】
本発明の電動圧縮機は、前記第二ゴムリングの前記被嵌合凹部および／または前記被嵌合凸部の軸線方向における自然長が、対応する前記ケーシング側および／または前記接続部収容容器側に設けられた前記嵌合凸部および／または前記嵌合凹部の軸線方向における長さよりも長いことを特徴とする。
【００２０】
第二ゴムリングの被嵌合凹部および／または被嵌合凸部の軸線方向における自然長を、対応する嵌合凸部および／または嵌合凹部の軸線方向における長さよりも長くすることで、第二ゴムリングの被嵌合凹部および／または被嵌合凸部が相手側に対して先に当たるようにした。これにより、横断面積が小さくされた第二ゴムリングの細い部分で、予測が困難な公差等の変位を吸収することができる。
【００２１】
本発明の電動圧縮機は、前記第二ゴムリングの一部分が、他の部分よりも細くされていることを特徴とする。
【００２２】
第二ゴムリングの軸方向における一部のみを他の部分よりも細くすることにより絶縁性能を落とすことなく、また、過大な荷重による接続部収納容器やガラス端子の破損を防ぐことができる。
【００２３】
本発明の電動圧縮機は、コイルが巻かれており端部に前記コイルを押止する蓋を有する樹脂ケースを備え、分割された前記接続部収容容器の一方と前記蓋とが一体となっていることを特徴とする。
【００２４】
本発明によれば、分割された接続部収容容器の一方とコイルを押止めする蓋が一体となっているため、コイルを押止めする目的を損なうことなく組立容易な電動圧縮機とすることができる。
【００２５】
本発明の電動圧縮機の組立方法は、上記のいずれかの電動圧縮機の組立方法において、前記第一ゴムリングに前記内部電力線を挿通する内部電力線挿通工程と、前記内部電力線が挿通された前記第一ゴムリングを前記壁部間で狭持されるように、分割された前記接続部収容容器を嵌合する接続部収容容器嵌合工程と、前記第二ゴムリング及びガラス端子板が取り付けられた前記端子ピンを前記接続部収容容器に接続する端子部接続工程と、を有することを特徴とする。
【００２６】
本発明によれば、第一ゴムリングに内部電力線を挿通する内部電力線挿通工程を経てから、第一ゴムリングが狭持されるように、分割された接続部収容容器を嵌合する接続部収容容器嵌合工程を有しているため、分割された接続部収容容器でゴムリングを挟み込むだけで簡易に絶縁性が高い接続部収容容器を組み立てることができる。さらに、第二ゴムリングが取り付けられた端子部を接続部収容容器に接続する端子部接続工程を有しているため、組立性を損なうことなく、絶縁性が高い電動圧縮機とすることができる。
【発明の効果】
【００２７】
本発明によれば、電動圧縮機において、組立性を損なうことなく端子を絶縁することができる。
【図面の簡単な説明】
【００２８】
【図１】本発明の実施形態に係る電動圧縮機を示す縦断面図である。
【図２】同実施形態に係る端子ケース周りを示した要部縦断面図である。
【図３】図２の端子ケースを示した平面図である。
【図４】図３の端子ケースを示した側面図である。
【図５】図３の端子ケースの上部端子ケースを示した側面図である。
【図６】図５の上部端子ケースの先端を拡大した縦断面図である。
【図７】図３の端子ケースの下部端子ケースを示した側面図である。
【図８】図７の下部端子ケースの先端を拡大した縦断面図である。
【図９】図２の端子ケースに取り付けられる第一ゴムリングの縦断面図である。
【図１０】図２の端子ケースに取り付けられた第二ゴムリングの縦断面図である。
【図１１】図１の電動圧縮機の電動モータ及び端子ケースを示した側面図である。
【図１２】図２に示した第二ゴムリング周りの構造の変形例を示した縦断面図である。
【図１３】図２に示した第二ゴムリング周りの構造の他の変形例を示した縦断面図である。
【発明を実施するための形態】
【００２９】
以下、本発明の実施形態に係る電動圧縮機について、図面を参照して説明する。
【００３０】
図１に示されているように、電動圧縮機２１は、例えば車両用空調装置の圧縮機として用いられる。電動圧縮機２１は、ケーシング２内に、スクロール圧縮部１３と、このスクロール圧縮部１３を駆動する電動モータ１とを収容している。電動モータ１が動作することによって、ケーシング２内に導かれた冷媒がスクロール圧縮部１３で圧縮されて外部へと排出される。
ケーシング２は、スクロール圧縮部１３及び電動モータ１１を収容する略円筒形状とされた本体部に対して、この本体部の一端側（図１において左側）開口を閉塞するインバータ収容部４３の底面（図１において右側端面）とによって構成されている。
インバータ収容部４３は、インバータを収容する容器形状とされており、第二ボルト４６によりケーシング２の本体部に対して組付け固定されている。
【００３１】
ケーシング２は、供給される冷媒に対して密閉性を有しており、電動モータ１への電力は、ケーシング２を構成するインバータ収容部４３の底面に形成した開口部を挿通する外部電力線４を介して、インバータ収容部４３内のインバータ（図示せず）から電動モータ１に供給される。外部電力線４は、ガラス端子板２９、端子ピン２７及びガイシ３１などからなる。また、ガラス端子板２９とインバータ収容部４３の一端面は第一ボルト４５により締め付け固定されており、これにより外部電力線４はインバータ収容部４３に組付け固定されている。
【００３２】
インバータ収容部４３と電動モータ１１との間には、端子ケース（接続部収容容器）５が設けられている。この端子ケース５内で、外部電力線４と、電動モータ１１側から導かれる内部電力線３とが接続される。端子ケース５は、インバータ収容部４３の底面と、電動モータ１１の端面（具体的にはコイル１５を押止する蓋１７）との間に挟まれた状態で固定されている。
【００３３】
図３に示すように、端子ケース５は、３本の電力線を並列に接続するための３つの接続部６を収容しており、それぞれの接続部６を収容する端子ケース部５１，５２，５３は略同一形状となっている。端子ケース５は、これら端子ケース部５１，５２，５３が並列にかつ長手方向（図３において左右方向）に所定距離ずつ位置をずらして一体化された形状となっている。なお、本実施形態では３本の電力線を接続する際の端子ケースについて説明するが、本発明はこれに限定するものではなく、１本の電力線でも、２本の電力線でも、あるいは４本以上の電力線であってもよい。
【００３４】
図２に示すように、端子ケース５は、外部電力線４と内部電力線３とをケーシング２の内部で電気的に接続する接続部６を収容する。
内部電力線３は、電動モータ１から導かれ、端子ケース５に設けられた挿通穴９に挿通される。
図４に示すように、端子ケース５は、上部端子ケース５ａと下部端子ケース５ｂの上下に分割されるように分割線７にて分割されている。この分割線７は、さらに、挿通穴９を上下に分割するように設けられている。
また、上部端子ケース５ａは、図４及び図５に示すように、下部端子ケース５ｂのツメ嵌め込み部３７ａ（図７参照）に嵌めこまれるツメ部３７ｂを有しており、それぞれのツメ部３７ｂは離間して設けられている。
上部端子ケース５ａの上面には、図３に示すように、挿通穴９と離れた位置に外部電力線４の一部である端子ピン２７が接続される端子ピン接続穴２３が設けられており、端子ピン２７の端部は分割線７と垂直方向に端子ケース５の中央近くまで挿入されている。また、端子ピン２７の他端部はケーシング２の外側に位置するインバータ（図示せず）に接続されている。
【００３５】
図２に示すように、第一ゴムリング１１ａは、挿通穴９を形成する分割された端子ケース５の壁部８間にて狭持されている。
図９に示すように、第一ゴムリング１１ａには、端子ケース５の挿通穴９を形成する壁部８の係合凸部３５ａ（図６及び図８参照）に対応する被係合凹部３３ａを有しており、被係合凹部３３ａは第一ゴムリング１１ａの被係合凹部３３ａを有する側面においてほぼ中央に位置している。
また、第一ゴムリング１１ａにおける被係合凹部３３ａを有していない側面には、内部電力線３の径と略同等の径の空洞状の貫通穴３９を有している。
なお、上述した挿通穴９を形成する壁部８の係合凸部３５ａとそれに対応する被係合凹部３３ａの凹凸が逆、すなわち係合凹部及び被係合凸部であっても良い。
【００３６】
ガラス端子板２９は、ガラス製の板状部材であって、端子ピン２７の軸線と直交するように端子ピン２７と接続されている。ガラス端子板２９における端子ケース５が位置する側の表面には、例えばセラミックでできた円柱形状のガイシ３１が設けられており、１本の端子ピン２７につき二つのガイシ３１が端子ピン２７を中心として離間するように位置している。
【００３７】
第二ゴムリング１１ｂは、図１０に示すように、ガラス端子板２９と端子ケース５間の端子ピン２７がケーシング２内の冷媒と接触する部分を覆っており、第二ゴムリング１１ｂが覆っている部分の距離、すなわちガラス端子板２９と端子ケース５間の距離はガイシ３１の縦寸法（図２における縦方向）の二倍程度の距離となっている。
また、図２において、第二ゴムリング１１ｂは、一部（同図縦寸法において１／５程度の範囲）の径が小さくなっている段差形状となっており、径が小さくなっている外側の空間にガイシ３１が位置するようになっている。
なお、第二ゴムリング１１ｂの内周面（端子ピン２７と接触する部分）及び底面（端子ケース５と接触する部分）に複数の凸部及び凹部を設けて、ラビリンス効果によってシール性を向上させてもよい。
【００３８】
図１１に示されているように、電動モータ１を構成する鉄心４１は樹脂でできたボビン１９により挟まれており（同図において上下）、ボビン１９にはコイル１５が巻かれている。
ボビン１９の端子ケース５が位置する側（図１１において上側）には、コイル１５を押止する蓋１７が配置されており、蓋１７と下部端子ケース５ｂとが一体となっている。
図１１において、モータ軸線Ｌと直交する方向（同図横方向）の蓋１７の長さは、ボビン１９とほぼ同じ大きさとなっており、コイル１５が巻かれている部分を覆うようになっている。
【００３９】
次に、上述した端子ケース５の組立方法について説明する。
先ず、内部電力線３を第一ゴムリング１１ａの貫通穴３９に挿通する（内部電力線挿通工程）。
次に、挿通された第一ゴムリング１１ａが挿通穴９を形成する分割された壁部８間で狭持されるように上部端子ケース５ａに設けられたツメ部３７ｂに下部端子ケース５ｂに設けられたツメ嵌め込み部３７ａを嵌合する（端子ケース嵌合工程）。
そして、第二ゴムリング１１ｂ及びガラス端子板２９が取り付けられた端子ピン２７を端子ケース５に設けられた端子ピン接続穴２３に接続する（端子部接続工程）。
【００４０】
以上に説明の構成により、本実施形態によれば、以下の作用効果を奏する。
挿通穴９を分割する分割線７にて端子ケース５を分割するとともに、収容容器内が液密状態となるように挿通穴９を形成する分割された壁部８間で第一ゴムリング１１ａを狭持することとし、端子ピン２７がケーシング内の冷媒と接触する部分を覆うように第二ゴムリング１１ｂを取り付けたことにより、冷媒が端子ピン２７に接触することを防ぐことができ、簡易な構造にて端子部を絶縁することができる。
また、外部電力線４の一部であるガラス端子板２９とインバータ収容部４３の一端面とを第一ボルト４５にて締め付け固定しているため、インバータケース４３側に液冷媒が漏洩することがない。
【００４１】
端子ケース５は、第一ゴムリング１１ａにより密閉されているため、端子ケース５内外の圧力差により第一ゴムリング１１ａが欠落しづらい構造とすることができる。
さらに、第一ゴムリング１１ａに挿通穴９を形成する壁部８に形成された係合凸部３５と対応する被係合凹部３３を設けることで、第一ゴムリング１１ａが端子ケース５から欠落することを防止することができる。
【００４２】
下部端子ケース５ｂに設けられたツメ嵌め込み部３７ａを上部端子ケース５ａに設けられたツメ部３７ｂに嵌め込み、さらに、端子ケース５が第二ゴムリング１１ｂと電動モータ１により挟まれているため、上部端子ケース５ａと下部端子ケース５ｂが分離することを防ぐことができる。
また、端子ケース５は、一端面が、インバータ収容部４３の一端面及び第二ゴムリング１１ｂにて、他端面が、コイル１５を押止する蓋１７により挟まれているため、第二ゴムリング１１ｂを外部から力が加わった際の緩衝材とすることもできる。
【００４３】
コイル１５が巻かれているボビン１９に振動等が加わると、コイル１５がほつれることでコイルの絶縁不良が生じる。そこで、コイル１５がほつれることを防止するために蓋１７でコイル１５を押さえているが、下部端子ケース５ｂとコイル１５を押止めする蓋１７とを一体としているため、コイル１５を押止めする目的を損なうことなく組立容易な電動圧縮機とすることができる。
【００４４】
第一ゴムリング１１ａに内部電力線３を挿通する内部電力線挿通工程と、挿通された第一ゴムリング１１ａが挿通穴９を形成する分割された壁部８間で狭持されるように分割された端子ケース５を嵌合する端子ケース嵌合工程を有する組立方法により、容易に端子ケース５内を液密状態とすることができる。このように、端子部全体を樹脂やゴムで覆うことなく絶縁機能を有する端子ケース５とすることで、組み立て及び取り付け容易に端子部を絶縁することができる。
なお、上記実施形態では、車両用空調装置に用いられるスクロール圧縮機に適用した例について説明したが、一般の空調機に用いることとしてもよく、またロータリ圧縮機及び他型式の圧縮機構と組合せた多段圧縮機であってもよい。
【００４５】
図２に示した第二ゴムリング１１ｂ周りの構造として、以下のような変形例を採用しても良い。
図１２及び図１３には、図２に示した第二ゴムリング１１ｂ周りの構造の変形例が示されている。
【００４６】
図１２（ａ）に示されているように、第二ゴムリング１１ｂの両端に被嵌合凸部を設け、ケーシング側および接続部収容容器側に、第二ゴムリングの被嵌合凸部に対して嵌合する嵌合凹部を設ける。
この嵌合部分によって横断面積を中央の軸部よりも減少させることにより、絶縁性能を落とすことなく、また、過大な荷重による接続部収納容器やガラス端子の破損を防ぐことができる。また、第二ゴムリング１１ｂとケーシング側および接続部収容容器側との間で凹凸による嵌合を行うこととしたので、凹凸部分でシールされるため、かならずしも第二ゴムリングを積極的に挟み込んで大きな荷重を与える必要はない。
【００４７】
そして、第二ゴムリング１１ｂの被嵌合凸部の軸線方向における自然長は、対応するケーシング側および／または接続部収容容器側に設けられた嵌合凹部の軸線方向における長さよりも長くされていることが好ましい。これにより、第二ゴムリングの被嵌合凸部が相手側に対して先に当たることとなり、横断面積が小さくされた第二ゴムリングの細い部分で、予測が困難な公差等の変位を吸収することができる。
【００４８】
また、図１２（ｂ）に示すように、ケーシング側（同図における上方）の被嵌合凸部の軸方向長さを図１２（ａ）よりも長くして（例えば一方の被嵌合凸部を他方の被嵌合凸部よりも長くして）、剛性の弱い部分でゴムを潰してゴム反力による荷重を下げるようにしてもよい。
【００４９】
また、図１２（ｃ）に示すように、第二ゴムリング１１ｂの接続部収容容器側（同図における下方）の端部を被嵌合凹部とし、他方のケーシング側の端部を被嵌合凸部としてもよい。さらに、図１２（ｄ）に示すように、第二ゴムリング１１ｂの両端に被嵌合凹部を設ける構成としても良い。
【００５０】
また、図１３（ａ）に示すように、ケーシング側（同図における上方）の被嵌合凹部の軸方向長さを図１２（ｄ）よりも長くして（例えば一方の被嵌合凹部を他方の被嵌合凹部よりも長くして）、剛性の弱い部分でゴムを潰してゴム反力により荷重を下げるようにしてもよい。
【００５１】
また、図１３（ｂ）に示すように、第二ゴムリング１１ｂの一方の端部（同図ではケーシング側）に被嵌合凸部を設け、他方の端部には第二ゴムリング１１ｂの中央部と同径とされた形状を採用しても良い。同図における変形例では、横断面積が他の部分よりも小さくされて剛性を弱くされた被嵌合凸部にてゴムが潰されて、ゴム反力による荷重を下げるようになっている。
なお、図１３（ｄ）のように、絶縁性を確保するためにケーシング側にハーメチックシール１２を採用して組み立てても良い。
【００５２】
また、図１３（ｃ）に示すように、第二ゴムリング１１ｂの中央の一部分のみを、他の両端部分よりも細くするようにしても良い。同図では嵌合による凹凸構造は採用されていない。横断面積が小さくされて剛性が弱くされた中央部分にてゴムが潰されるので、全長にわたって同一径とされた場合に比べて、ゴム反力による荷重を下げることができる。
【符号の説明】
【００５３】
１  電動モータ
２  ケーシング
３  内部電力線
４  外部電力線
５  端子ケース（接続部収容容器）
５ａ  上部端子ケース
５ｂ  下部端子ケース
６  接続部
７  分割線
８  壁部
９  挿通穴
１１ａ  第一ゴムリング
１１ｂ  第二ゴムリング
１３  スクロール圧縮部
１５  コイル
１７  蓋
１９  樹脂ケース（ボビン）
２１  電動圧縮機
２３  端子ピン接続穴
２７  端子ピン
２９  ガラス端子板
３１  ガイシ
３２  ガラス
３３ａ  被係合凹部
３５ａ  係合凸部
３７ａ  ツメ嵌め込み部
３７ｂ  ツメ部
３９  貫通穴
４１  鉄心
４３  インバータケース
４５  第一ボルト
４６  第二ボルト
５１、５２、５３  端子ケース部
Ｌ  モータ軸線
【要約】
【課題】組立性を損なうことなく外部電力線を絶縁する接続部収容容器及びこれを備えた電動圧縮機を提供することを目的とする。
【解決手段】ケーシング内に収容され、ケーシング内に導かれた冷媒を圧縮する圧縮部を駆動する電動モータと、電動モータに電力を供給する外部電力線がケーシングの外部から導かれ、外部電力線と電動モータから導かれた内部電力線３とをケーシングの内部で電気的に接続する接続部を収容する接続部収容容器５と、を備えた電動圧縮機において、接続部収容容器５には、内部電力線３が挿通される挿通穴９が設けられ、接続部収容容器５は、接続部収容容器５を分割するとともに挿通穴９を分割する分割線７にて分割可能とされており、接続部収容容器５内には、挿通穴９を液密状態に閉塞する第一ゴムリング１１ａが配置され、第一ゴムリング１１ａは、挿通穴９を形成する分割された壁部間で狭持されている。
【選択図】図２【図１】
0005518169.tif 000002
【図２】
0005518169.tif 000003
【図３】
0005518169.tif 000004
【図４】
0005518169.tif 000005
【図５】
0005518169.tif 000006
【図６】
0005518169.tif 000007
【図７】
0005518169.tif 000008
【図８】
0005518169.tif 000009
【図９】
0005518169.tif 000010
【図１０】
0005518169.tif 000011
【図１１】
0005518169.tif 000012
【図１２】
0005518169.tif 000013
【図１３】
0005518169.tif 000014